(57)【要約】【課題】使用状態に対応してアンテナの利得を維持することができると共に、小型化・低価格化が容易な無線機器を提供する。【解決手段】第１絶縁基板１０と、高周波回路６０と、固定部１５と、固定部１５に対する距離が変更可能な第２絶縁基板２０と、可動部２５と、固定部１５と可動部２５との間に接続された第１コイルＬ１と、高周波回路６０に接続されたアンテナ６５と、可動部２５を第１絶縁基板１０に機械的に支持する第１圧縮バネ３１と、を備え、固定部１５は、第１絶縁基板１０に固定されていると共に、可動部２５は、第１絶縁基板１０と固定部１５との間に位置するように、第２絶縁基板２０に固定されており、アンテナ６５と高周波回路６０とが第１コイルＬ１を介して電気的に接続されており、第２絶縁基板２０と固定部１５との間の距離が減少することに応じて、第１コイルＬ１のインダクタンスＬ１が減少する。【選択図】図２
2017208603.tif 000002
【特許請求の範囲】
【請求項１】
第１絶縁基板と、前記第１絶縁基板に設けられた高周波回路と、前記第１絶縁基板に固定された固定部と、前記固定部に対する距離が変更可能な第２絶縁基板と、前記第２絶縁基板に固定された可動部と、前記固定部と前記可動部との間に接続された第１コイルと、前記高周波回路に接続されたアンテナと、前記可動部を第１絶縁基板へ機械的に支持する第１圧縮バネと、を備え、
前記固定部は、前記第１絶縁基板に対して厚み方向に間隔を有した状態で、前記第１絶縁基板に固定されていると共に、前記可動部は、前記第１絶縁基板と前記固定部との間に位置するように、前記第２絶縁基板に固定されており、
前記アンテナと前記高周波回路とが前記第１コイルを介して電気的に接続されており、
前記第２絶縁基板と前記固定部との間の距離が減少することに応じて、前記第１コイルのインダクタンスが減少する、
ことを特徴とする無線機器。
【請求項２】
前記第１圧縮バネと前記第１コイルとが電気的に接続されていると共に、前記アンテナと前記高周波回路とが、前記第１圧縮バネと前記第１コイルとを介して電気的に接続されており、
前記第２絶縁基板と前記固定部との間の距離が減少することに応じて、前記第１圧縮バネのインダクタンスが増加し、
前記第２絶縁基板と前記固定部との間の距離が減少した際の前記第１コイルのインダクタンスの減少量の絶対値が、前記第１圧縮バネのインダクタンスの増加量の絶対値よりも大きい、
ことを特徴とする請求項１に記載の無線機器。
【請求項３】
第１フレキシブル絶縁基板を備え、
前記高周波回路と前記第１コイルとが、前記第１フレキシブル絶縁基板に設けられた配線部を介して電気的に接続されている、
ことを特徴とする請求項１に記載の無線機器。
【請求項４】
前記第２絶縁基板に前記アンテナが設けられており、
前記固定部と前記第２絶縁基板との間に接続された第２圧縮バネを備えていると共に、
前記第２絶縁基板と前記固定部との間の距離が減少することに応じて、前記第２圧縮バネのインダクタンスが増加し、
前記第２絶縁基板と前記固定部との間の距離が減少した際の前記第１コイルのインダクタンスの減少量の絶対値が、前記第１圧縮バネのインダクタンス及び前記第２圧縮バネのインダクタンスの増加量の和の絶対値よりも大きい、
ことを特徴とする請求項２に記載の無線機器。
【請求項５】
第２フレキシブル絶縁基板を備えていると共に、前記第２絶縁基板に前記アンテナが設けられており、
前記第１コイルと前記アンテナとが、前記第２フレキシブル絶縁基板に設けられた配線部を介して電気的に接続されている、
ことを特徴とする請求項１乃至請求項３のいずれかに記載の無線機器。
【請求項６】
前記第１絶縁基板に前記アンテナが設けられていると共に、前記固定部と前記可動部との間に第２コイルが接続されていて、
前記第１コイルと前記第２コイルとは、前記固定部に設けられた配線部を介して接続されており、前記第１絶縁基板と前記可動部との間に第３圧縮バネが接続され、前記第２コイルと前記アンテナとが前記第３圧縮バネで電気的に接続されていて、
前記第２絶縁基板と前記固定部との間の距離が減少することに応じて、前記第２コイルのインダクタンスが減少し、
前記第２絶縁基板と前記固定部との間の距離が減少した際の前記第１コイルのインダクタンス及び前記第２コイルのインダクタンスの減少量の和の絶対値が、前記第１圧縮バネのインダクタンス及び前記第３圧縮バネのインダクタンスの増加量の和の絶対値よりも大きい、
ことを特徴とする請求項２に記載の無線機器。
【請求項７】
前記第１絶縁基板に前記アンテナが設けられていると共に、前記固定部と前記可動部との間に第２コイルが接続されていて、
前記第１コイルと前記第２コイルとは、前記固定部に設けられた配線部を介して接続されており、
前記第２コイルと前記アンテナとが、前記第２フレキシブル絶縁基板に設けられた配線部を介して電気的に接続されている、
ことを特徴とする請求項１又は請求項２に記載の無線機器。
【発明の詳細な説明】
【技術分野】
【０００１】
本発明は、無線機器に関し、特に、良好な通信状態を維持することが可能な無線機器に関する。
【背景技術】
【０００２】
近年、スマートフォン等の携帯電話装置では、より良好な通話状態を通信時に維持するため、使用状態が変化した場合でも、アンテナの利得低下を極力防止することができる無線機器が開発されている。
【０００３】
このような無線機器である無線通信装置９００が特許文献１に開示されている。以下、無線通信装置９００について図１２を用いて説明する。
【０００４】
無線通信装置９００において、制御回路９０８は、タッチセンサにより筐体が使用者の手によって把持されたことが検出されると、アンテナ９０７を、自由空間に合わせてインピーダンス整合を行ったマッチング回路９１７から、その状態に合わせてインピーダンス整合を行ったマッチング回路９１８に接続し直すように、スイッチ９１５及びスイッチ９１６を切り替える。また、音声処理部によって使用者が通話状態にあることが検出されると、アンテナ９０７を、その状態に合わせて整合を行ったマッチング回路９１９に接続するようにスイッチ９１５及びスイッチ９１６を切り替える。
【０００５】
このような構成によって、使用状態が変化した場合でも、アンテナの利得低下を極力防止し、アンテナの利得を維持することができる。
【先行技術文献】
【特許文献】
【０００６】
【特許文献１】特開２００１−２１７６２４号公報
【発明の概要】
【発明が解決しようとする課題】
【０００７】
無線通信装置９００では、使用状態の変化に対応してアンテナの利得を維持することができる。しかしながら、そのためにタッチセンサと制御回路と複数のマッチング回路と複数のスイッチとが必要であった。その結果、構造が複雑になると共に、小型化・低価格化が困難となってしまっていた。
【０００８】
本発明はこのような従来技術の実情に鑑みてなされたもので、使用状態に対応してアンテナの利得を維持することができると共に、小型化・低価格化が容易な無線機器を提供する。
【課題を解決するための手段】
【０００９】
上記課題を解決するために本発明の第１実施形態の無線機器は、第１絶縁基板と、前記第１絶縁基板に設けられた高周波回路と、前記第１絶縁基板に固定された固定部と、前記固定部に対する距離が変更可能な第２絶縁基板と、前記第２絶縁基板に固定された可動部と、前記固定部と前記可動部との間に接続された第１コイルと、前記高周波回路に接続されたアンテナと、前記可動部を第１絶縁基板に機械的に支持する第１圧縮バネと、を備え、
前記固定部は、前記第１絶縁基板に対して厚み方向に間隔を有した状態で、前記第１絶縁基板に固定されていると共に、前記可動部は、前記第１絶縁基板と前記固定部との間に位置するように、前記第２絶縁基板に固定されており、前記アンテナと前記高周波回路とが前記第１コイルを介して電気的に接続されており、前記第２絶縁基板と前記固定部との間の距離が減少することに応じて、前記第１コイルのインダクタンスが減少する、という特徴を有する。
【００１０】
このように構成された無線機器は、人が無線機器を把持すると、第２絶縁基板と固定部との間の距離が減少して可動部が第１絶縁基板の方向へ変位し、そのために第１コイルの巻き線間が拡がることによって、第１コイルのインダクタンスが低下する。当該インダクタンスが低下すると、アンテナの共振周波数が上がり、無線機器を把持することによって下がったアンテナの共振周波数を補正することが可能となる。その結果、使用状態に対応してアンテナの利得を維持することができると共に、小型化・低価格化が容易な無線機器を提供することができる。
【００１１】
また、上記の構成において、前記第１圧縮バネと前記第１コイルとが電気的に接続されていると共に、前記アンテナと前記高周波回路とが、前記第１圧縮バネと前記第１コイルとを介して電気的に接続されており、前記第２絶縁基板と前記固定部との間の距離が減少することに応じて、前記第１圧縮バネのインダクタンスが増加し、前記第２絶縁基板と前記固定部との間の距離が減少した際の前記第１コイルのインダクタンスの減少量の絶対値が、前記第１圧縮バネのインダクタンスの増加量の絶対値よりも大きい、という特徴を有する。
【００１２】
このように構成された無線機器は、第２絶縁基板と固定部との間の距離が減少することによって第１圧縮バネのインダクタンスが増加するが、その増加量の絶対値よりも第１コイルのインダクタンスの減少量の絶対値が大きいため、第１コイルと第１圧縮バネとが直列接続された回路のインダクタンスが減少する。そのため、アンテナの共振周波数を上げることができる。また、第１絶縁基板上で可動部を機械的に支持する第１圧縮バネが、電気的な接続の役割も果たすので、部品点数を減らすことができる。
【００１３】
また、上記の構成において、第１フレキシブル絶縁基板を備え、前記高周波回路と前記第１コイルとが、前記第１フレキシブル絶縁基板に設けられた配線部を介して電気的に接続されている、という特徴を有する。
【００１４】
このように構成された無線機器は、第２絶縁基板が第１絶縁基板の方向へ変位しても、第１フレキシブル絶縁基板の配線部のインダクタンスが変化しないので、第１コイルと第１フレキシブル絶縁基板の配線部とが直列接続された回路のインダクタンスの変化に第１フレキシブル絶縁基板が影響を与えない。
【００１５】
また、上記の構成において、前記第２絶縁基板に前記アンテナが設けられており、前記固定部と前記第２絶縁基板との間に接続された第２圧縮バネを備えていると共に、前記第２絶縁基板と前記固定部との間の距離が減少することに応じて、前記第２圧縮バネのインダクタンスが増加し、前記第２絶縁基板と前記固定部との間の距離が減少した際の前記第１コイルのインダクタンスの減少量の絶対値が、前記第１圧縮バネのインダクタンス及び前記第２圧縮バネのインダクタンスの増加量の和の絶対値よりも大きい、という特徴を有する。
【００１６】
このように構成された無線機器は、第２絶縁基板と固定部との間の距離が減少することによって第１圧縮バネ及び第２圧縮バネのインダクタンスが増加するが、その増加量の和の絶対値よりも第１コイルのインダクタンスの減少量の絶対値が大きいため、第１コイルと第１圧縮バネと第２圧縮バネとが直列接続された回路のインダクタンスが減少する。そのため、アンテナの共振周波数を上げることができる。
【００１７】
また、上記の構成において、第２フレキシブル絶縁基板を備えていると共に、前記第２絶縁基板に前記アンテナが設けられており、前記第１コイルと前記アンテナとが、前記第２フレキシブル絶縁基板に設けられた配線部を介して電気的に接続されている、という特徴を有する。
【００１８】
このように構成された無線機器は、第２絶縁基板が第１絶縁基板の方向へ変位しても、第２フレキシブル絶縁基板の配線部のインダクタンスが変化しないので、第１コイルと第２フレキシブル絶縁基板の配線部とが直列接続された回路のインダクタンスの変化に第２フレキシブル絶縁基板が影響を与えない。
【００１９】
また、上記の構成において、前記第１絶縁基板に前記アンテナが設けられていると共に、前記固定部と前記可動部との間に第２コイルが接続されていて、前記第１コイルと前記第２コイルとは、前記固定部に設けられた配線部を介して接続されており、前記第１絶縁基板と前記可動部との間に第３圧縮バネが接続され、前記第２コイルと前記アンテナとが前記第３圧縮バネで電気的に接続されていて、前記第２絶縁基板と前記固定部との間の距離が減少することに応じて、前記第２コイルのインダクタンスが減少し、前記第２絶縁基板と前記固定部との間の距離が減少した際の前記第１コイルのインダクタンス及び前記第２コイルのインダクタンスの減少量の和の絶対値が、前記第１圧縮バネのインダクタンス及び前記第３圧縮バネのインダクタンスの増加量の和の絶対値よりも大きい、という特徴を有する。
【００２０】
このように構成された無線機器は、第２絶縁基板と固定部との間の距離が減少することによって第１圧縮バネ及び第３圧縮バネのインダクタンスが増加するが、その増加量の和の絶対値よりも第１コイル及び第２コイルのインダクタンスの減少量の和の絶対値が大きいため、第１コイルと第１圧縮バネと第２圧縮バネと第２コイルとが直列接続された回路のインダクタンスが減少する。そのため、アンテナの共振周波数を上げることができる。また、第１絶縁基板上で可動部を機械的に支持する第１圧縮バネ及び第３圧縮バネが、電気的な接続の役割も果たすので、部品点数を減らすことができる。
【００２１】
また、上記の構成において、前記第１絶縁基板に前記アンテナが設けられていると共に、前記固定部と前記可動部との間に第２コイルが接続されていて、前記第１コイルと前記第２コイルとは、前記固定部に設けられた配線部を介して接続されており、前記第２コイルと前記アンテナとが、前記第２フレキシブル絶縁基板に設けられた配線部を介して電気的に接続されている、という特徴を有する。
【００２２】
このように構成された無線機器は、第２絶縁基板が第１絶縁基板の方向へ変位しても、第２フレキシブル絶縁基板の配線部のインダクタンスが変化しないので、第１コイルと第２コイルと第２フレキシブル絶縁基板の配線部とが直列接続された回路のインダクタンスの変化に第２フレキシブル絶縁基板が影響を与えない。
【発明の効果】
【００２３】
本発明の第１実施形態の無線機器は、人が無線機器を把持すると、第２絶縁基板と固定部との間の距離が減少して可動部が第１絶縁基板の方向へ変位し、そのために第１コイルの巻き線間が拡がることによって、第１コイルのインダクタンスが低下する。当該インダクタンスが低下すると、アンテナの共振周波数が上がり、無線機器を把持することによって下がったアンテナの共振周波数を補正することが可能となる。その結果、使用状態に対応してアンテナの利得を維持することができると共に、小型化・低価格化が容易な無線機器を提供することができる。
【図面の簡単な説明】
【００２４】
【図１】第１実施形態の無線機器の外観を示す模式的斜視図である。
【図２】第１実施形態の無線機器の構造を示す模式図である。
【図３】第１圧縮バネ乃至第３圧縮バネの外観を示す斜視図である。
【図４】第１実施形態の第２絶縁基板が変位した後の無線機器の模式図である。
【図５】第１実施形態第１変形例の無線機器の構造及び動きを示す模式図である。
【図６】第１実施形態第２変形例の無線機器の構造及び動きを示す模式図である。
【図７】第１実施形態第２変形例の無線機器の構造及び動きを示す模式図である。
【図８】第２実施形態の無線機器の外観を示す模式的斜視図である。
【図９】第２実施形態の無線機器の構造を示す模式図である。
【図１０】第２実施形態の第２絶縁基板が変位した後の無線機器の模式図である。
【図１１】第２実施形態第１変形例の無線機器の構造及び動きを示す模式図である。
【図１２】従来例に関わる無線通信装置のブロック図である。
【発明を実施するための形態】
【００２５】
以下、本発明の無線機器について図面を参照しながら説明する。本発明の無線機器は、高周波回路を有する小型の無線機器であり、例えば、スマートフォン等に用いられる。尚、本発明の無線機器の用途については、以下説明する実施形態に限定されるものではなく適宜変更が可能である。
【００２６】
［第１実施形態］
最初に、図１乃至図４を参照して、本発明の第１実施形態に係る無線機器１００について説明する。図１は、第１実施形態の無線機器１００の外観を示す模式的斜視図であり、図２は、第１実施形態の無線機器１００の構造を示す模式図であり、図３は、第１圧縮バネ３１乃至第３圧縮バネ３３の外観を示す斜視図である。また、図４は、第１実施形態の第２絶縁基板２０が第１絶縁基板１０の方向へ変位した後の無線機器１００の模式図である。尚、本明細書では、特に断りの無い限り、各図面の＋Ｘ側を右側、−Ｘ側を左側、＋Ｚ側を上側、−Ｚ側を下側として説明する。
【００２７】
無線機器１００は、図１に示すように、第１絶縁基板１０と、第１絶縁基板１０に設けられた高周波回路６０と、第１絶縁基板１０に固定された固定部１５と、当該固定部１５に対する距離が変更可能な第２絶縁基板２０と、第２絶縁基板２０に固定された可動部２５と、高周波回路６０に接続されたアンテナ６５と、を備えて構成されている。
【００２８】
固定部１５は、図２に示すように、第１絶縁基板１０に対して厚み方向（上下方向）に間隔を有した状態で、第１絶縁基板１０に複数の支柱１３によって固定されている。また、可動部２５は、第１絶縁基板１０と固定部１５との間に位置するように、複数の繋ぎ部２３によって第２絶縁基板２０に固定されている。
【００２９】
無線機器１００は、固定部１５と可動部２５との間に接続された第１コイル４１と、可動部２５を第１絶縁基板１０に機械的に支持する第１圧縮バネ３１と、上述した固定部１５と第２絶縁基板２０との間に接続された第２圧縮バネ３２と、を備えている。
【００３０】
高周波回路６０は、第１絶縁基板１０上に設けられていると共に、アンテナ６５は、第２絶縁基板２０上に設けられており、アンテナ６５と高周波回路６０とが第１コイル４１を介して電気的に接続されている。本発明の無線機器１００では、第１圧縮バネ３１と第１コイル４１と第２圧縮バネ３２とが接続されていて、アンテナ６５と高周波回路６０とが、第１圧縮バネ３１と第１コイル４１と第２圧縮バネ３２とを介して電気的に接続されている。
【００３１】
第１コイル４１は、可動部２５の上面に対して垂直方向に撓むように、収縮可能に形成されている。そのため、第１コイル４１は、収縮によってインダクタンス値が変化するインダクタンスＬ１を有する。
【００３２】
高周波回路６０と第１圧縮バネ３１とは、第１絶縁基板１０上の導体パターンで形成された配線部１０ａによって接続されており、第１圧縮バネ３１と第１コイル４１とは、可動部２５に形成された配線部２５ａ及び上下配線部２５ｂによって電気的に接続されている。また、第１コイル４１と第２圧縮バネ３２とは、固定部１５に形成された配線部１５ａ及び上下配線部１５ｂによって電気的に接続されており、第２圧縮バネ３２とアンテナ６５とは、第２絶縁基板２０に形成された配線部２０ａ及び上下配線部２０ｂによって電気的に接続されている。可動部２５の上下配線部２５ｂ、固定部１５の上下配線部１５ｂ、及び第２絶縁基板２０の上下配線部２０ｂは、ビアホール等によって形成されている。
【００３３】
上述した第１圧縮バネ３１は、導電性の金属で形成されており、図３に示すように、平坦な上面３１ｂとこの上面３１ｂから下方へ金属部材が伸びて平面視螺旋状に形成されている弾性腕部３１ａと、弾性腕部３１ａの下端に形成された底面３１ｃと、を有して構成されている。
【００３４】
第１圧縮バネ３１は、底面３１ｃが第１絶縁基板１０の上面に固定されていると共に、上面３１ｂが可動部２５の下面に当接し、固定されている。第１圧縮バネ３１は、弾性腕部３１ａが平面視螺旋状に下方へ延びて形成されているため、第１絶縁基板１０の上面に対して垂直方向に撓むように、収縮可能に形成されている。そのため、第１圧縮バネ３１は、収縮によってインダクタンス値が変化するインダクタンスＢ１を有する。
【００３５】
第１圧縮バネ３１は、可動部２５を機械的に支持することができると共に、導電性の金属で形成されているため、当接している導体同士（本実施形態では第１絶縁基板１０の配線部１０ａと可動部２５の上下配線部２５ｂ）を電気的に接続することができる。尚、上述した第２圧縮バネ３２及び今後説明する第３圧縮バネ３３も、その構造は第１圧縮バネ３１と同一である。そのため、その説明を省略する。また、第２圧縮バネ３２及び第３圧縮バネ３３は、それぞれインダクタンスＢ２及びインダクタンスＢ３を有する。
【００３６】
無線機器１００は、前述したように、スマートフォン等に用いられる。従って、無線機器１００は人によって把持され、把持されることによって、人の持つ静電容量のためにアンテナ６５の共振周波数が下がり、共振点がずれてアンテナ６５の利得が下がる。しかし、本発明では、人が無線機器１００を把持しても、アンテナ６５の共振周波数を下げることなく、使用状態に対応してアンテナ６５の利得を維持することができるように構成されている。
【００３７】
無線機器１００は、人が無線機器１００を把持していない状態では、図２に示すように、第２絶縁基板２０と固定部１５との間の距離が、通常距離Ｄ１となっている。この時、第１コイル４１は初期状態であって、その線材間は最も密の状態になっているため、そのインダクタンスＬ１は最大となっている。また、第１圧縮バネ３１及び第２圧縮バネ３２も初期状態にあり、弾性腕部３１ａの線材間は最も疎の状態になっている。第２圧縮バネ３２についても同様である。そのため、第１圧縮バネ３１のインダクタンスＢ１及び第２圧縮バネ３２のインダクタンスＢ２は、最小となっている。
【００３８】
次に、人が無線機器１００を把持した状態では、図４に示すように、第２絶縁基板２０と固定部１５との間の距離は、第２絶縁基板２０が第１絶縁基板１０の方向へ変位するため、上述した通常距離Ｄ１より小さな圧縮距離Ｄ２となる。
【００３９】
この時、第１コイル４１は、その巻き線間が拡がっており、最も疎の状態になるため、そのインダクタンスＬ１は最小となっている。また、第１圧縮バネ３１及び第２圧縮バネ３２は圧縮された状態にあり、弾性腕部３１ａの線材間は最も密の状態になっている。第２圧縮バネ３２についても同様である。そのため、第１圧縮バネ３１のインダクタンスＢ１及び第２圧縮バネ３２のインダクタンスＢ２は、最大となっている。
【００４０】
即ち、第２絶縁基板２０と固定部１５との間の距離が減少することに応じて、第１コイル４１のインダクタンスＬ１が減少すると共に、第１圧縮バネ３１のインダクタンスＢ１及び第２圧縮バネ３２のインダクタンスＢ２が増加する。
【００４１】
無線機器１００では、第２絶縁基板２０と固定部１５との間の距離が減少した際の第１コイル４１のインダクタンスＬ１の減少量の絶対値が、第１圧縮バネ３１のインダクタンスＢ１及び第２圧縮バネ３２のインダクタンスＢ２の増加量の和の絶対値よりも大きくなるように、設定されている。
【００４２】
そのため、第１コイル４１と第１圧縮バネ３１と第２圧縮バネ３２とが直列接続された回路のインダクタンスは減少する。その結果、アンテナ６５の共振周波数を上げることができる。
【００４３】
［第１実施形態の第１変形例］
次に、図５を参照して、本発明の第１実施形態の第１変形例に係る無線機器１１０について説明する。図５（ａ）は、第１実施形態・第１変形例の無線機器１１０の構造を示す模式図であり、図５（ｂ）は、第２絶縁基板２０が第１絶縁基板１０の方向へ変位した後の無線機器１１０の模式図である。
【００４４】
無線機器１１０は、図５（ａ）に示すように、無線機器１００と同様、第１絶縁基板１０と、第１絶縁基板１０に設けられた高周波回路６０と、第１絶縁基板１０に固定された固定部１５と、当該固定部１５に対する距離が変更可能な第２絶縁基板２０と、第２絶縁基板２０に固定された可動部２５と、高周波回路６０に接続されたアンテナ６５と、を備えて構成されている。
【００４５】
無線機器１１０の構造は、第１絶縁基板１０と可動部２５との間に接続されている部材が無線機器１００と異なるだけであり、その他の領域については無線機器１００と同様である。そのため、無線機器１００と同様の部分については、その説明を省略する。
【００４６】
無線機器１１０は、図５（ａ）に示すように、可動部２５を第１絶縁基板１０に機械的に支持する第１圧縮バネ３１と、固定部１５と第２絶縁基板２０との間に接続された第２圧縮バネ３２と、を備えている。第１圧縮バネ３１は、第１絶縁基板１０上で左右に２個設けられており、２個の第１圧縮バネ３１で可動部２５を支持している。
【００４７】
無線機器１１０は、第１フレキシブル絶縁基板５１を備えており、高周波回路６０と第１コイル４１とが、第１フレキシブル絶縁基板５１に設けられた配線部５１ａを介して電気的に接続されている。従って、２個の第１圧縮バネ３１は、機械的に可動部２５を支持するためだけに用いられており、高周波回路６０と第１コイル４１とを電気的に接続するためには用いられていない。
【００４８】
即ち、本発明の無線機器１１０では、第１フレキシブル絶縁基板５１の配線部５１ａと第１コイル４１とが電気的に直列接続されていると共に、アンテナ６５と高周波回路６０とが、第１フレキシブル絶縁基板５１の配線部５１ａと第１コイル４１と第２圧縮バネ３２とを介して電気的に接続されている。尚、第１フレキシブル絶縁基板５１の配線部５１ａは、コイルではないため、第１フレキシブル絶縁基板５１が収縮しても、そのインダクタンスは変化しない。
【００４９】
無線機器１１０は、人が無線機器１１０を把持していない状態では、図５（ａ）に示すように、第２絶縁基板２０と固定部１５との間の距離が、通常距離Ｄ１となっている。この時、第１コイル４１は初期状態であって、その線材間は最も密の状態になっているため、そのインダクタンスＬ１は最大となっている。また、第２圧縮バネ３２も初期状態にあり、弾性腕部３２ａの線材間は最も疎の状態になっている。そのため、第２圧縮バネ３２のインダクタンスＢ２は、最小となっている。
【００５０】
次に、人が無線機器１１０を把持した状態では、図５（ｂ）に示すように、第２絶縁基板２０と固定部１５との間の距離は、第２絶縁基板２０が第１絶縁基板１０の方向へ変位するため、上述した通常距離Ｄ１より小さな圧縮距離Ｄ２となる。
【００５１】
この時、第１コイル４１は、その巻き線間が拡がっており、最も疎の状態になっているため、そのインダクタンスＬ１は最小となっている。また、第２圧縮バネ３２は圧縮された状態にあり、弾性腕部３２ａの線材間は最も密の状態になっている。そのため、第２圧縮バネ３２のインダクタンスＢ２は、最大となっている。
【００５２】
即ち、第２絶縁基板２０と固定部１５との間の距離が減少することに応じて、第１コイル４１のインダクタンスＬ１が減少すると共に、第２圧縮バネ３２のインダクタンスＢ２が増加する。
【００５３】
無線機器１１０では、第２絶縁基板２０と固定部１５との間の距離が減少した際の第１コイル４１のインダクタンスＬ１の減少量の絶対値が、第２圧縮バネ３２のインダクタンスＢ２の増加量の絶対値よりも大きくなるように、設定されている。
【００５４】
そのため、第１コイル４１と第２圧縮バネ３２と第１フレキシブル絶縁基板５１の配線部５１ａとが直列接続された回路のインダクタンスが減少する。その結果、アンテナ６５の共振周波数を上げることができる。
【００５５】
［第１実施形態の第２変形例］
次に、図６を参照して、本発明の第１実施形態の第２変形例に係る無線機器１２０について説明する。図６（ａ）は、第１実施形態・第２変形例の無線機器１２０の構造を示す模式図であり、図６（ｂ）は、第２絶縁基板２０が第１絶縁基板１０の方向へ変位した後の無線機器１２０の模式図である。
【００５６】
無線機器１２０は、図６（ａ）に示すように、無線機器１００と同様、第１絶縁基板１０と、第１絶縁基板１０に設けられた高周波回路６０と、第１絶縁基板１０に固定された固定部１５と、当該固定部１５に対する距離が変更可能な第２絶縁基板２０と、第２絶縁基板２０に固定された可動部２５と、高周波回路６０に接続されたアンテナ６５と、を備えて構成されている。
【００５７】
無線機器１２０の構造は、第１絶縁基板１０と可動部２５との間に接続されている部材、及び第２絶縁基板２０と固定部１５との間に接続されている部材が無線機器１００と異なるだけであり、その他の領域については無線機器１００と同様である。そのため、無線機器１００と同様の部分については、その説明を省略する。
【００５８】
無線機器１２０は、図６（ａ）に示すように、可動部２５を第１絶縁基板１０に機械的に支持する第１圧縮バネ３１を備えている。第１圧縮バネ３１は、第１絶縁基板１０上で左右に２個設けられており、２個の第１圧縮バネ３１で可動部２５を支持している。
【００５９】
無線機器１２０は、第１フレキシブル絶縁基板５１及び第２フレキシブル絶縁基板５２を備えており、高周波回路６０と第１コイル４１とが、第１フレキシブル絶縁基板５１に設けられた配線部５１ａを介して電気的に接続されていると共に、第１コイル４１とアンテナ６５とが、第２フレキシブル絶縁基板５２に設けられた配線部５２ａを介して電気的に接続されている。即ち、無線機器１１０と同様に、２個の第１圧縮バネ３１は、機械的に可動部２５を支持するためだけに用いられており、高周波回路６０と第１コイル４１とを電気的に接続するためには用いられていない。
【００６０】
従って、本発明の無線機器１２０では、第１フレキシブル絶縁基板５１と第１コイル４１と第２フレキシブル絶縁基板５２とが接続されていると共に、アンテナ６５と高周波回路６０とが、第１フレキシブル絶縁基板５１の配線部５１ａと第１コイル４１と第２フレキシブル絶縁基板５２の配線部５２ａとを介して電気的に接続されている。尚、第１フレキシブル絶縁基板５１の配線部５１ａ及び第２フレキシブル絶縁基板５２の配線部５２ａはコイルではないため、第１フレキシブル絶縁基板５１及び第２フレキシブル絶縁基板５２が収縮しても、その有するインダクタンスは変化しない。
【００６１】
無線機器１２０は、人が無線機器１２０を把持していない状態では、図６（ａ）に示すように、第２絶縁基板２０と固定部１５との間の距離が、通常距離Ｄ１となっている。この時、第１コイル４１は初期状態であって、その線材間は最も密の状態になっているため、そのインダクタンスＬ１は最大となっている。
【００６２】
次に、人が無線機器１２０を把持した状態では、図６（ｂ）に示すように、第２絶縁基板２０と固定部１５との間の距離は、第２絶縁基板２０が第１絶縁基板１０の方向へ変位するため、上述した通常距離Ｄ１より小さな圧縮距離Ｄ２となる。
【００６３】
この時、第１コイル４１は、その巻き線間が拡がっており、最も疎の状態になっているため、そのインダクタンスＬ１は最小となっている。即ち、第２絶縁基板２０と固定部１５との間の距離が減少することに応じて、第１コイル４１のインダクタンスＬ１が減少する。その結果、アンテナ６５の共振周波数を上げることができる。
【００６４】
［第１実施形態の第３変形例］
次に、図７を参照して、本発明の第１実施形態の第３変形例に係る無線機器１３０について説明する。図７（ａ）は、第１実施形態・第３変形例の無線機器１３０の構造を示す模式図であり、図７（ｂ）は、第２絶縁基板２０が第１絶縁基板１０の方向へ変位した後の無線機器１３０の模式図である。
【００６５】
無線機器１３０は、図７（ａ）に示すように、無線機器１００と同様、第１絶縁基板１０と、第１絶縁基板１０に設けられた高周波回路６０と、第１絶縁基板１０に固定された固定部１５と、当該固定部１５に対する距離が変更可能な第２絶縁基板２０と、第２絶縁基板２０に固定された可動部２５と、高周波回路６０に接続されたアンテナ６５と、を備えて構成されている。
【００６６】
無線機器１３０の構造は、第２絶縁基板２０と固定部１５との間に接続されている部材が無線機器１００と異なるだけであり、その他の領域については無線機器１００と同様である。そのため、無線機器１００と同様の部分については、その説明を省略する。
【００６７】
無線機器１３０は、図７（ａ）に示すように、可動部２５を第１絶縁基板１０に機械的に支持する第１圧縮バネ３１を備えている。また、第２フレキシブル絶縁基板５２を備えており、アンテナ６５と第１コイル４１とが、第２フレキシブル絶縁基板５２に設けられた配線部５２ａを介して電気的に接続されている。
【００６８】
従って、本発明の無線機器１３０では、第２フレキシブル絶縁基板５２と第１コイル４１と第１圧縮バネ３１とが接続されていると共に、アンテナ６５と高周波回路６０とが、第２フレキシブル絶縁基板５２の配線部５２ａと第１コイル４１と第１圧縮バネ３１とを介して電気的に接続されている。尚、第２フレキシブル絶縁基板５２の配線部５２ａは、コイルではないため、第２フレキシブル絶縁基板５２が収縮しても、そのインダクタンスは変化しない。
【００６９】
無線機器１３０は、人が無線機器１３０を把持していない状態では、図７（ａ）に示すように、第２絶縁基板２０と固定部１５との間の距離が、通常距離Ｄ１となっている。この時、第１コイル４１は初期状態であって、その線材間は最も密の状態になっているため、そのインダクタンスＬ１は最大となっている。また、第１圧縮バネ３１も初期状態にあり、弾性腕部３１ａの線材間は最も疎の状態になっている。そのため、第１圧縮バネ３１のインダクタンスＢ１は、最小となっている。
【００７０】
次に、人が無線機器１３０を把持した状態では、図７（ｂ）に示すように、第２絶縁基板２０と固定部１５との間の距離は、第２絶縁基板２０が第１絶縁基板１０の方向へ変位するため、上述した通常距離Ｄ１より小さな圧縮距離Ｄ２となる。
【００７１】
この時、第１コイル４１は、その巻き線間が拡がっており、最も疎の状態になっているため、そのインダクタンスＬ１は最小となっている。また、第１圧縮バネ３１は圧縮された状態にあり、弾性腕部３１ａの線材間は最も密の状態になっている。そのため、第１圧縮バネ３１のインダクタンスＢ１は、最大となっている。
【００７２】
即ち、第２絶縁基板２０と固定部１５との間の距離が減少することに応じて、第１コイル４１のインダクタンスＬ１が減少すると共に、第１圧縮バネ３１のインダクタンスＢ１が増加する。
【００７３】
無線機器１３０では、第２絶縁基板２０と固定部１５との間の距離が減少した際の第１コイル４１のインダクタンスＬ１の減少量の絶対値が、第１圧縮バネ３１のインダクタンスＢ１の増加量の絶対値よりも大きくなるように、設定されている。
【００７４】
そのため、第１コイル４１と第１圧縮バネ３１と第２フレキシブル絶縁基板５２の配線部５２ａとが直列接続された回路のインダクタンスが減少する。その結果、アンテナ６５の共振周波数を上げることができる。
【００７５】
以下、本第１実施形態としたことによる効果について説明する。
【００７６】
本発明の第１実施形態の無線機器１００乃至無線機器１３０は、人が無線機器１００乃至無線機器１３０を把持すると、第２絶縁基板２０と固定部１５との間の距離が減少して可動部２５が第１絶縁基板１０の方向へ変位し、そのために第１コイル４１の巻き線間が拡がることによって、第１コイル４１のインダクタンスＬ１が低下する。当該インダクタンスＬ１が低下すると、アンテナ６５の共振周波数が上がり、無線機器１００乃至無線機器１３０を把持することによって下がったアンテナ６５の共振周波数を補正することが可能となる。その結果、使用状態に対応してアンテナ６５の利得を維持することができると共に、小型化・低価格化が容易な無線機器１００乃至無線機器１３０を提供することができる。
【００７７】
また、無線機器１００は、第２絶縁基板２０と固定部１５との間の距離が減少することによって第１圧縮バネ３１のインダクタンスＢ１及び第２圧縮バネ３２のインダクタンスＢ２が増加するが、その増加量の和の絶対値よりも第１コイル４１のインダクタンスＬ１の減少量の絶対値が大きいため、第１コイル４１と第１圧縮バネ３１と第２圧縮バネ３２とが直列接続された回路のインダクタンスが減少する。そのため、アンテナ６５の共振周波数を上げることができる。また、第１絶縁基板１０上で可動部２５を機械的に支持する第１圧縮バネ３１が、電気的な接続の役割も果たすので、部品点数を減らすことができる。
【００７８】
また、無線機器１１０は、第２絶縁基板２０が第１絶縁基板１０の方向へ変位しても、第１フレキシブル絶縁基板５１の配線部５１ａのインダクタンスが変化しないので、第１コイル４１と第１フレキシブル絶縁基板５１の配線部５１ａと第２圧縮バネ３２とが直列接続された回路のインダクタンスの変化に第１フレキシブル絶縁基板５１が影響を与えない。
【００７９】
また、無線機器１２０は、第２絶縁基板２０が第１絶縁基板１０の方向へ変位しても、第１フレキシブル絶縁基板５１の配線部５１ａ及び第２フレキシブル絶縁基板５２の配線部５２ａのインダクタンスが変化しないので、第１コイル４１と第１フレキシブル絶縁基板５１の配線部５１ａと第２フレキシブル絶縁基板５２の配線部５２ａとが直列接続された回路のインダクタンスの変化に第１フレキシブル絶縁基板５１及び第２フレキシブル絶縁基板５２が影響を与えない。従って、当該回路のインダクタンスは減少し、アンテナ６５の共振周波数を上げることができる。
【００８０】
また、無線機器１３０は、第２絶縁基板２０が第１絶縁基板１０の方向へ変位しても、第２フレキシブル絶縁基板５２の配線部５２ａのインダクタンスが変化しないので、第１コイル４１と第２フレキシブル絶縁基板５２の配線部５２ａと第１圧縮バネ３１とが直列接続された回路のインダクタンスの変化に第２フレキシブル絶縁基板５２が影響を与えない。また、第２絶縁基板２０と固定部１５との間の距離が減少することによって第１圧縮バネ３１のインダクタンスＢ１が増加するが、その増加量の絶対値よりも第１コイル４１のインダクタンスＬ１の減少量の絶対値が大きいため、第１コイル４１と第１圧縮バネ３１とが直列接続された回路のインダクタンスが減少する。そのため、アンテナ６５の共振周波数を上げることができる。
【００８１】
［第２実施形態］
次に、図８乃至図１０を参照して、本発明の第２実施形態に係る無線機器２００について説明する。図８は、第２実施形態の無線機器２００の外観を示す模式的斜視図であり、図９は、第２実施形態の無線機器２００の構造を示す模式図であり、図１０は、第２実施形態の第２絶縁基板２０が第１絶縁基板１０の方向へ変位した後の無線機器２００の模式図である。
【００８２】
無線機器２００は、図８に示すように、第１絶縁基板１０と、第１絶縁基板１０に設けられた高周波回路６０と、第１絶縁基板１０に固定された固定部１５と、当該固定部１５に対する距離が変更可能な第２絶縁基板２０と、第２絶縁基板２０に固定された可動部２５と、高周波回路６０に接続されたアンテナ６５と、を備えて構成されている。
【００８３】
固定部１５は、図９に示すように、第１絶縁基板１０に対して厚み方向（上下方向）に間隔を有した状態で、第１絶縁基板１０に複数の支柱１３によって固定されている。また、可動部２５は、第１絶縁基板１０と固定部１５との間に位置するように、第２絶縁基板２０に複数の繋ぎ部２３によって固定されている。
【００８４】
無線機器２００は、固定部１５と可動部２５との間に接続された第１コイル４１及び第２コイル４２と、可動部２５を第１絶縁基板１０に機械的に支持する第１圧縮バネ３１及び第３圧縮バネ３３と、を備えている。
【００８５】
高周波回路６０は、第１絶縁基板１０上に設けられていると共に、アンテナ６５も、第１絶縁基板１０上に設けられている。本発明の無線機器２００では、第１絶縁基板１０と可動部２５との間に第１圧縮バネ３１及び第３圧縮バネ３３が接続されている。また、第１コイル４１と高周波回路６０とが第１圧縮バネ３１で電気的に接続されていると共に、第２コイル４２とアンテナ６５とが第３圧縮バネ３３で電気的に接続されている。
【００８６】
従って、無線機器２００では、高周波回路６０とアンテナ６５とが、第１圧縮バネ３１と第１コイル４１と第２コイル４２と第３圧縮バネ３３とを介して電気的に接続されている。
【００８７】
第１コイル４１及び第２コイル４２は、それぞれ可動部２５の上面に対して垂直方向に撓むように、収縮可能に形成されている。そのため、第１コイル４１は、収縮によってインダクタンス値が変化するインダクタンスＬ１を有し、第２コイル４２は、収縮によってインダクタンス値が変化するインダクタンスＬ２を有している。
【００８８】
高周波回路６０と第１圧縮バネ３１、及びアンテナ６５と第３圧縮バネ３３とは、それぞれ第１絶縁基板１０上の導体パターンで形成された配線部１０ａによって電気的に接続されており、第１圧縮バネ３１と第１コイル４１、及び第２コイル４２と第３圧縮バネ３３とは、それぞれ可動部２５に形成された配線部２５ａ及び上下配線部２５ｂによって電気的に接続されている。
【００８９】
また、第１コイル４１と第２コイル４２とは、固定部１５に設けられた配線部１５ａを介して電気的に接続されており、第１コイル４１と配線部１５ａ、及び第２コイル４２と配線部１５ａとは、それぞれ上下配線部１５ｂによって電気的に接続されている。可動部２５の上下配線部２５ｂ及び固定部１５の上下配線部１５ｂは、ビアホール等によって形成されている。
【００９０】
無線機器２００は、前述したように、スマートフォン等に用いられる。従って、無線機器２００は人によって把持され、把持されることによって、人の持つ静電容量のためにアンテナ６５の共振周波数が下がり、共振点がずれてアンテナ６５の利得が下がる。しかし、本発明では、人が無線機器２００を把持しても、アンテナ６５の共振周波数を下げることなく、使用状態に対応してアンテナ６５の利得を維持することができるように構成されている。
【００９１】
無線機器２００は、人が無線機器２００を把持していない状態では、図９に示すように、第２絶縁基板２０と固定部１５との間の距離が、通常距離Ｄ１となっている。この時、第１コイル４１及び第２コイル４２は初期状態であって、その線材間は最も密の状態になっているため、そのインダクタンスＬ１及びインダクタンスＬ２は最大となっている。また、第１圧縮バネ３１及び第３圧縮バネ３３も初期状態にあり、弾性腕部３１ａの線材間は最も疎の状態になっている。第３圧縮バネ３３の弾性腕部３３ａについても同様である。そのため、第１圧縮バネ３１のインダクタンスＢ１及び第３圧縮バネ３３のインダクタンスＢ３は、最小となっている。
【００９２】
次に、人が無線機器２００を把持した状態では、図１０に示すように、第２絶縁基板２０と固定部１５との間の距離は、第２絶縁基板２０が第１絶縁基板１０の方向へ変位するため、上述した通常距離Ｄ１より小さな圧縮距離Ｄ２となる。
【００９３】
この時、第１コイル４１及び第２コイル４２は、それぞれその巻き線間が拡がり、最も疎の状態になるため、第１コイル４１のインダクタンスＬ１及び第２コイル４２のインダクタンスＬ２はそれぞれ最小となる。また、第１圧縮バネ３１及び第３圧縮バネ３３は圧縮された状態にあり、第１圧縮バネ３１の弾性腕部３１ａ及び第３圧縮バネ３３の弾性腕部３３ａの線材間は最も密の状態になっている。そのため、第１圧縮バネ３１のインダクタンスＢ１及び第３圧縮バネ３３のインダクタンスＢ３は、最大となっている。
【００９４】
即ち、第２絶縁基板２０と固定部１５との間の距離が減少することに応じて、第１コイル４１のインダクタンスＬ１及び第２コイル４２のインダクタンスＬ２がそれぞれ減少すると共に、第１圧縮バネ３１のインダクタンスＢ１及び第３圧縮バネ３３のインダクタンスＢ３が増加する。
【００９５】
無線機器２００では、第２絶縁基板２０と固定部１５との間の距離が減少した際の第１コイル４１のインダクタンスＬ１及び第２コイル４２のインダクタンスＬ２の減少量の和の絶対値が、第１圧縮バネ３１のインダクタンスＢ１及び第３圧縮バネ３３のインダクタンスＢ３の増加量の和の絶対値よりも大きくなるように、設定されている。
【００９６】
そのため、第１圧縮バネ３１と第１コイル４１と第２コイル４２と第３圧縮バネ３３とが直列接続された回路のインダクタンスが減少する。その結果、アンテナ６５の共振周波数を上げることができる。
【００９７】
［第２実施形態の第１変形例］
次に、図１１を参照して、本発明の第２実施形態の第１変形例に係る無線機器２１０について説明する。図１１（ａ）は、第２実施形態・第１変形例の無線機器２１０の構造を示す模式図であり、図１１（ｂ）は、第２絶縁基板２０が第１絶縁基板１０の方向へ変位した後の無線機器２１０の模式図である。
【００９８】
無線機器２１０は、図１１（ａ）に示すように、第１絶縁基板１０と、第１絶縁基板１０に設けられた高周波回路６０と、第１絶縁基板１０に固定された固定部１５と、当該固定部１５に対する距離が変更可能な第２絶縁基板２０と、第２絶縁基板２０に固定された可動部２５と、高周波回路６０に接続されたアンテナ６５と、を備えて構成されている。
【００９９】
無線機器２１０の構造は、第１絶縁基板１０と可動部２５との間に接続されている部材が無線機器２００と異なるだけであり、その他の領域については無線機器２００と同様である。そのため、無線機器２００と同様の部分については、その説明を省略する。
【０１００】
無線機器２１０は、固定部１５と可動部２５との間に接続された第１コイル４１及び第２コイル４２と、可動部２５を第１絶縁基板１０に機械的に支持する第１圧縮バネ３１及び第３圧縮バネ３３と、を備えている。
【０１０１】
高周波回路６０は、第１絶縁基板１０上に設けられていると共に、アンテナ６５も、第１絶縁基板１０上に設けられている。本発明の無線機器２１０では、第１絶縁基板１０と可動部２５との間に第１圧縮バネ３１及び第３圧縮バネ３３が接続されていると共に、第２フレキシブル絶縁基板５２が接続されている。また、第１コイル４１と高周波回路６０とが第１圧縮バネ３１で電気的に接続されていると共に、第２コイル４２とアンテナ６５とが第２フレキシブル絶縁基板５２に設けられた配線部５２ａを介して電気的に接続されている。
【０１０２】
従って、高周波回路６０とアンテナ６５とが、第１圧縮バネ３１と第１コイル４１と第２コイル４２と第２フレキシブル絶縁基板５２の配線部５２ａとを介して電気的に接続されている。尚、第３圧縮バネ３３は、第２コイル４２とアンテナ６５との電気的な接続には使用されていない。また、第２絶縁基板２０が第１絶縁基板１０の方向へ変位しても、第２フレキシブル絶縁基板５２の配線部５２ａのインダクタンスは変化しない。
【０１０３】
第１コイル４１及び第２コイル４２は、可動部２５の上面に対して垂直方向に撓むように、収縮可能に形成されている。そのため、第１コイル４１は、収縮によってインダクタンス値が変化するインダクタンスＬ１を有し、第２コイル４２は、収縮によってインダクタンス値が変化するインダクタンスＬ２を有している。
【０１０４】
高周波回路６０と第１圧縮バネ３１、及びアンテナ６５と第２フレキシブル絶縁基板５２の配線部５２ａとは、それぞれ第１絶縁基板１０上の導体パターンで形成された配線部１０ａによって電気的に接続されている。また、第２コイル４２と第２フレキシブル絶縁基板５２の配線部５２ａとは、可動部２５に形成された配線部２５ａ及び上下配線部２５ｂによって電気的に接続されている。
【０１０５】
無線機器２１０は、人が無線機器２１０を把持していない状態では、無線機器２００と同様に、第１コイル４１及び第２コイル４２は初期状態であって、その線材間は最も密の状態になっているため、そのインダクタンスＬ１及びインダクタンスＬ２は最大となっている。また、第１圧縮バネ３１も初期状態にあり、弾性腕部３１ａの線材間は最も疎の状態になっている。そのため、第１圧縮バネ３１のインダクタンスＢ１は、最小となっている。
【０１０６】
次に、人が無線機器２１０を把持した状態では、図１１（ｂ）に示すように、無線機器２１０と同様、第１コイル４１及び第２コイル４２は、それぞれその巻き線間が拡がっており、最も疎の状態になっている。そのため、第１コイル４１のインダクタンスＬ１及び第２コイル４２のインダクタンスＬ２はそれぞれ最小となる。また、第１圧縮バネ３１は圧縮された状態にあり、第１圧縮バネ３１の弾性腕部３１ａの線材間は最も密の状態になっている。そのため、第１圧縮バネ３１のインダクタンスＢ１は、最大となる。
【０１０７】
即ち、第２絶縁基板２０と固定部１５との間の距離が減少することに応じて、第１コイル４１のインダクタンスＬ１及び第２コイル４２のインダクタンスＬ２がそれぞれ減少すると共に、第１圧縮バネ３１のインダクタンスＢ１が増加する。
【０１０８】
無線機器２１０では、第２絶縁基板２０と固定部１５との間の距離が減少した際の第１コイル４１のインダクタンスＬ１及び第２コイル４２のインダクタンスＬ２の減少量の和の絶対値が、第１圧縮バネ３１のインダクタンスＢ１よりも大きくなるように、設定されている。
【０１０９】
そのため、第１圧縮バネ３１と第１コイル４１と第２コイル４２と第２フレキシブル絶縁基板５２の配線部５２ａとが直列接続された回路のインダクタンスが減少する。その結果、アンテナ６５の共振周波数を上げることができる。
【０１１０】
以下、本第２実施形態としたことによる効果について説明する。
【０１１１】
本発明の第２実施形態の無線機器２００は、第２絶縁基板２０と固定部１５との間の距離が減少することによって第１圧縮バネ３１及び第３圧縮バネ３３のインダクタンスＢ３が増加するが、その増加量の和の絶対値よりも第１コイル４１のインダクタンスＬ１及び第２コイル４２のインダクタンスＬ２の減少量の和の絶対値が大きいため、第１コイル４１と第１圧縮バネ３１と第２圧縮バネ３２と第２コイル４２とが直列接続された回路のインダクタンスが減少する。そのため、アンテナ６５の共振周波数を上げることができる。また、第１絶縁基板１０上で可動部２５を機械的に支持する第１圧縮バネ３１及び第３圧縮バネ３３が、電気的な接続の役割も果たすので、部品点数を減らすことができる。
【０１１２】
また、無線機器２１０は、第２絶縁基板２０が第１絶縁基板１０の方向へ変位しても、第２フレキシブル絶縁基板５２の配線部５２ａのインダクタンスが変化しないので、第１コイル４１と第２コイル４２と第２フレキシブル絶縁基板５２の配線部５２ａとが直列接続された回路のインダクタンスの変化に第２フレキシブル絶縁基板５２が影響を与えない。
【０１１３】
以上説明したように、本発明の無線機器は、人が無線機器を把持すると、第２絶縁基板と固定部との間の距離が減少して可動部が第１絶縁基板の方向へ変位し、そのために第１コイルの巻き線間が拡がることによって、第１コイルのインダクタンスが低下する。当該インダクタンスが低下すると、アンテナの共振周波数が上がり、無線機器を把持することによって下がったアンテナの共振周波数を補正することが可能となる。その結果、使用状態に対応してアンテナの利得を維持することができると共に、小型化・低価格化が容易な無線機器を提供することができる。
【０１１４】
本発明は上記の実施形態に限定されるものではなく、要旨を逸脱しない範囲で種々変更して実施することが可能である。例えば、第１絶縁基板１０にアンテナ６５が設けられていて、第１コイル４１と高周波回路６０とが、第１フレキシブル絶縁基板５１に設けられた配線部５１ａを介して電気的に接続されていると共に、第２コイル４２とアンテナ６５とが、第３圧縮バネ３３を介して電気的に接続されていても良い。また、第１絶縁基板１０にアンテナ６５が設けられていて、第１コイル４１と高周波回路６０とが、第１フレキシブル絶縁基板５１に設けられた配線部５１ａを介して電気的に接続されていると共に、第２コイル４２とアンテナ６５とが、第２フレキシブル絶縁基板５２に設けられた配線部５２ａを介して電気的に接続されていても良い。この場合、第１圧縮バネ３１及び第３圧縮バネ３３は、可動部２５を第１絶縁基板１０に対して機械的に支持するためだけに用いられる。
【符号の説明】
【０１１５】
１０      第１絶縁基板
１０ａ    配線部
１３      支柱
１５      固定部
１５ａ    配線部
１５ｂ    上下配線部
２０      第２絶縁基板
２０ａ    配線部
２０ｂ    上下配線部
２３      繋ぎ部
２５      可動部
２５ａ    配線部
２５ｂ    上下配線部
３１      第１圧縮バネ
３１ａ    弾性腕部
３１ｂ    上面
３１ｃ    底面
３２      第２圧縮バネ
３２ａ    弾性腕部
３３      第３圧縮バネ
３３ａ    弾性腕部
４１      第１コイル
４２      第２コイル
５１      第１フレキシブル絶縁基板
５１ａ    配線部
５２      第２フレキシブル絶縁基板
５２ａ    配線部
６０      高周波回路
６５      アンテナ
１００    無線機器
１１０    無線機器
１２０    無線機器
１３０    無線機器
２００    無線機器
２１０    無線機器
Ｄ１      通常距離
Ｄ２      圧縮距離
Ｌ１      インダクタンス
Ｌ２      インダクタンス
Ｂ１      インダクタンス
Ｂ２      インダクタンス
Ｂ３      インダクタンス
【図１】
2017208603.tif 000003
【図２】
2017208603.tif 000004
【図３】
2017208603.tif 000005
【図４】
2017208603.tif 000006
【図５】
2017208603.tif 000007
【図６】
2017208603.tif 000008
【図７】
2017208603.tif 000009
【図８】
2017208603.tif 000010
【図９】
2017208603.tif 000011
【図１０】
2017208603.tif 000012
【図１１】
2017208603.tif 000013
【図１２】
2017208603.tif 000014